(57)【要約】【課題】ユーザにとって利便性の高い情報をナビゲーション情報として好適に表示することで、小型な装置であっても、高度な情報提供性能を実現する。【解決手段】携帯型電子時計（腕時計１）は、画像を表示する表示部１１と、ユーザの移動ルートを表すルート情報を表示部に表示するルート情報表示手段２ａと、ルート情報の表示部に表示される縮尺を切り替える縮尺切替手段２ｂと、所望の縮尺のルート情報に対応付けて設定された任意の地点が表示部から外れた場合に、表示部の表示態様を、ルート情報を表示する表示態様と異なる表示態様に変更する表示態様変更手段２ｃと、を有する。ルート情報には、ユーザの目的地を表す目的地情報が対応付けて設定されている。表示態様変更手段は、前記任意の地点が表示部から外れた場合に、ユーザの現在地点から所望の目的地までの方向情報と距離情報とを含む特殊画面を表示部に表示する。【選択図】図２
2019060748.tif 000002
【特許請求の範囲】
【請求項１】
画像を表示する表示部と、
ユーザの移動ルートを表すルート情報を前記表示部に表示するルート情報表示手段と、
前記ルート情報の前記表示部に表示される縮尺を切り替える縮尺切替手段と、
所望の縮尺の前記ルート情報に対応付けて設定された任意の地点が前記表示部から外れた場合に、前記表示部の表示態様を、前記ルート情報を表示する表示態様と異なる表示態様に変更する表示態様変更手段と、を有することを特徴とする携帯型電子時計。
【請求項２】
請求項１に記載の携帯型電子時計において、
前記表示態様変更手段は、前記任意の地点が前記表示部から外れた場合に、ユーザの現在地点から所望の目的地までの方向情報と距離情報とを含む特殊画面を前記表示部に表示することを特徴とする携帯型電子時計。
【請求項３】
請求項２に記載の携帯型電子時計において、
前記表示態様変更手段は、ユーザの操作に応じて、ユーザの現在地点から所望の目的地までの方向情報を含む特殊画面と、ユーザが現在向いている方角情報を含むコンパス画面と、を表示部に切替表示することを特徴とする携帯型電子時計。
【請求項４】
請求項１乃至請求項３のいずれか一項に記載の携帯型電子時計において、
前記表示態様変更手段は、ユーザの現在地点から所望の目的地までの距離が所望の距離以上である場合に、縮尺の切替判断を行うことを特徴とする携帯型電子時計。
【請求項５】
請求項１乃至請求項４のいずれか一項に記載の携帯型電子時計において、
前記表示態様変更手段は、前記任意の地点のうち、ユーザが未通過である地点が前記表示部から外れた場合に、前記表示部の表示態様を前記ルート情報を表示する表示態様と異なる表示態様に変更することを特徴とする携帯型電子時計。
【請求項６】
画像を表示する表示部を備える携帯型電子時計が実行する表示方法であって、
ユーザの移動ルートを表すルート情報を前記表示部に表示するルート情報表示工程と、
前記ルート情報の前記表示部に表示される縮尺を切り替える縮尺切替工程と、
所望の縮尺の前記ルート情報に対応付けて設定された任意の地点が前記表示部から外れた場合に、前記表示部の表示態様を前記ルート情報を表示する表示態様と異なる表示態様に変更する表示態様変更工程と、を含む表示方法。
【請求項７】
画像を表示する表示部を備える携帯型電子時計のコンピュータを、
ユーザの移動ルートを表すルート情報を前記表示部に表示するルート情報表示手段、
前記ルート情報の前記表示部に表示される縮尺を切り替える縮尺切替手段、
所望の縮尺の前記ルート情報に対応付けて設定された任意の地点が前記表示部から外れた場合に、前記表示部の表示態様を前記ルート情報を表示する表示態様と異なる表示態様に変更する表示態様変更手段、として機能させるための表示プログラム。
【発明の詳細な説明】
【技術分野】
【０００１】
本発明は、携帯型電子時計、表示方法および表示プログラムに関する。
【背景技術】
【０００２】
従来から、ＧＰＳ（Global Positioning System；全地球測位システム）を利用して位置情報を取得する機能を有する、腕時計等の携帯型電子時計が普及している。また、従来から、カーナビゲーションシステムやスマートフォン等の端末装置において、遠隔地のサーバから所望のエリアの地形（地形図）を表す地形情報を取得し、その地形情報に対応付けて所望の目的地までのルートを表すルート情報を設定して、ルート情報等をナビゲーション情報として表示部に表示することが行われている（例えば、特許文献１参照）。そして、近年、カーナビゲーションシステムやスマートフォン等の端末装置と同様に、ナビゲーション情報を携帯型電子時計の表示部に表示させることが提案されている。このような携帯型電子時計は、例えば、ランニングやジョギング、登山といった移動を伴うスポーツにおいて、ユーザが移動した軌跡を取得したり、地形情報に対してユーザの移動ルートを表すルート情報を予め設定しておき、ユーザの移動時に、ルート情報を参照したりすることに用いることができる。
【先行技術文献】
【特許文献】
【０００３】
【特許文献１】特開２０１５−６０１４４号公報
【発明の概要】
【発明が解決しようとする課題】
【０００４】
しかしながら、ナビゲーション情報は、地形やその他の様々な情報を多数含んでいる。一方、腕時計等のような携帯型電子時計は、装置が小型で、かつ、表示部のサイズが小さいため、カーナビゲーションシステムやスマートフォン等の端末装置のように、ナビゲーション情報を詳細に表示したり、高度なユーザインタフェースを提供したりすることが困難である。カーナビゲーションシステムやスマートフォン等の端末装置は表示部が大型化されることもある。しかしながら、腕時計は、一般に軽量化することが望まれており、大型化に対してネガティブな印象が強いため、表示部を大型化し難い傾向にある。
【０００５】
そのような携帯型電子時計では、腕時計等のような小型な装置であっても、高度な情報提供性能を実現することが望まれる。特に、ユーザが疲労している場合に、ユーザの判断能力が低下しているため、ユーザが表示部を少し見るだけで、例えば、所望の目的地までの方向情報や距離情報等のユーザにとって利便性の高い情報を直感的に認識できる程度に、高度な情報提供性能を実現することが望まれている。
【０００６】
本発明の課題は、ユーザにとって利便性の高い情報をナビゲーション情報として好適に表示することで、小型な装置であっても、高度な情報提供性能を実現することである。
【課題を解決するための手段】
【０００７】
上述した課題を解決するために、本発明の第１の観点に係る携帯型電子時計は、画像を表示する表示部と、ユーザの移動ルートを表すルート情報を前記表示部に表示するルート情報表示手段と、前記ルート情報の前記表示部に表示される縮尺を切り替える縮尺切替手段と、所望の縮尺の前記ルート情報に対応付けて設定された任意の地点が前記表示部から外れた場合に、前記表示部の表示態様を、前記ルート情報を表示する表示態様と異なる表示態様に変更する表示態様変更手段と、を有することを特徴とする。
【発明の効果】
【０００８】
本発明によれば、ユーザにとって利便性の高い情報をナビゲーション情報として好適に表示することで、小型な装置であっても、高度な情報提供性能を実現することができる。
【図面の簡単な説明】
【０００９】
【図１】実施形態に係る携帯型電子時計としての腕時計の外観を示す正面図である。
【図２】実施形態に係る携帯型電子時計としての腕時計の内部構成を示すブロック図である。
【図３】ナビゲーション処理開始操作時における腕時計の動作を示すフローチャートである。
【図４】ナビゲーション処理開始操作時における腕時計の表示画面の説明図である。
【図５】ナビゲーション処理実行操作時における腕時計の動作を示すフローチャートである。
【図６】変形例に係るナビゲーション処理実行操作時における腕時計の動作を示すフローチャートである。
【図７】ナビゲーション処理実行操作時における腕時計の表示画面の説明図である。
【図８】対象切替操作時における腕時計の表示画面の説明図である。
【図９】変形例に係る腕時計の表示画面の説明図である。
【図１０】バックトラック画面表示操作時における腕時計の動作を示すフローチャートである。
【図１１】バックトラック画面表示操作時における腕時計の表示画面の説明図である。
【図１２】ナビゲーション処理終了操作時における腕時計の動作を示すフローチャートである。
【図１３】ナビゲーション処理終了操作時における腕時計の表示画面の説明図である。
【図１４】ゴール地点情報消去操作時における腕時計の動作を示すフローチャートである。
【図１５】ゴール地点情報消去操作時における腕時計の表示画面の説明図である。
【図１６】目的地方向画面・コンパス画面切替表示操作時における腕時計の表示画面の説明図である。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態］
＜携帯型電子時計としての腕時計の構成＞
以下、図１及び図２を参照して、本実施形態に係る携帯型電子時計としての腕時計１の構成につき説明する。図１は、本実施形態に係る携帯型電子時計としての腕時計１の外観を示す正面図である。図２は、腕時計１の内部構成を示すブロック図である。
【００１２】
図１に示すように、本実施形態に係る携帯型電子時計としての腕時計１は、外観構成として、押下操作と回転操作とが可能なロータリースイッチＲＳＷと、押下操作が可能なプッシュスイッチ１ＳＷ，２ＳＷ，３ＳＷ，４ＳＷと、各種情報を表示する表示部１１と、を有している。
【００１３】
図２に示すように、腕時計１は、内部構成として、各部の動作を制御する制御部２と、各種プログラムや情報が記憶される記憶部３と、他の装置（例えば、スマートフォン等の端末装置１０１）と通信する通信部４と、ＧＰＳ衛星から現在地点情報を取得するＧＰＳレシーバ５と、地磁気を検知する磁気センサ６と、時間を計測する計時回路７と、を有している。
【００１４】
制御部２は、ＣＰＵ（Central Processing Unit）によって構成され、記憶部３のＲＯＭ（Read Only Memory）（図示せず）に記憶された制御プログラムを実行することで、例えば、ユーザの移動ルートを表すルート情報を表示部１１に表示するルート情報表示手段２ａ、ルート情報の表示部１１に表示される縮尺を切り替える縮尺切替手段２ｂ、表示部１１（表示画面）の表示態様を変更する表示態様変更手段２ｃとして機能する。特に、本実施形態では、表示態様変更手段２ｃは、所望の縮尺のルート情報が表示部１１（表示画面）から外れた場合に、表示部１１（表示画面）の表示態様を、ルート情報を表示する表示態様と異なる表示態様に自動的に変更する機能を有している。ルート情報は、所望のエリアの地形を表す地形情報に対応付けて設定されている。
【００１５】
記憶部３は、ＲＯＭ（図示せず）とＲＡＭ（Radom Access Memory）（図示せず）等で構成され、制御部２をルート情報表示手段２ａや縮尺切替手段２ｂ、表示態様変更手段２ｃとして機能させる制御プログラムを予め記憶している。
【００１６】
通信部４は、無線又は有線で他の装置（例えば、スマートフォン等の端末装置１０１）と通信する。本実施形態では、通信部４は、ＢＬＥ（Bluetooth Low Energy）（登録商標）通信機能を有しており、ＢＬＥ通信機能を利用して端末装置１０１に設けられた第２通信部１０４と通信するものとして説明する。そして、腕時計１は、通信部４でスマートフォン等の端末装置１０１と通信して、端末装置１０１からナビゲーション情報を取得するものとして説明する。
【００１７】
なお、本実施形態では、スマートフォン等の端末装置１０１は、各種演算を実行する制御部１０２と、ネットを介して遠隔地のサーバ（図示せず）と通信する第１通信部１０３と、ＢＬＥ通信機能を利用して腕時計１と通信する第２通信部１０４と、を有しているものとして説明する。
【００１８】
ナビゲーション情報には、ユーザの移動ルートを表すルート情報や、１乃至複数の目的地を表す目的地情報等が含まれている。
【００１９】
係る構成において、ユーザは、事前に、端末装置１０１を操作して、所望のナビゲーションシステム用のアプリケーションプログラム（図示せず）を起動し、遠隔地のサーバ（図示せず）から所望のエリアの地形（地形図）を表す地形情報を取得する。次に、ユーザは、端末装置１０１を操作して、ナビゲーション情報を作成する。ナビゲーション情報の作成は、ユーザが、ナビゲーションシステム用のアプリケーションプログラム（図示せず）の設定機能を利用して、ユーザの移動ルートを表すルート情報や、ユーザの目的地を表す目的地情報を、取得された地形情報に対応付けて設定することによって、行われる。なお、その際に、ユーザは、まず、移動ルートのスタート地点を設定して、次に、例えば、ゴール地点や、途中の経由地、その他の任意の地点を、目的地として設定する。
【００２０】
この後、ユーザは、腕時計１（又は端末装置１０１）を操作して、ルート情報や目的地情報等の情報をナビゲーション情報として端末装置１０１から腕時計１に転送する。これにより、ナビゲーション情報が腕時計１の記憶部３に記憶される。
【００２１】
後ほど、ユーザは、例えば、ランニングやジョギング、登山といった移動を伴うスポーツを行う場合に、所望のエリアに腕時計１を持って行く。そして、ユーザは、スタート地点で腕時計１を操作して、ナビゲーション用の画面（以下、「ナビゲーション画面」と称する）を腕時計１の表示部１１に表示させて、ナビゲーション処理（ルート案内処理）を実行させる。ナビゲーション画面は、ナビゲーション情報として、ルート情報や目的地情報等の情報を含む画面である。
【００２２】
＜携帯型電子時計としての腕時計の動作＞
以下、図３乃至図１６を参照して、ナビゲーション処理に関する腕時計１の動作につき説明する。
【００２３】
（ナビゲーション処理開始操作時の動作）
まず、図３及び図４を参照して、ナビゲーション処理開始操作時における腕時計１の動作につき説明する。図３は、ナビゲーション処理開始操作時における腕時計１の動作を示すフローチャートである。図４は、ナビゲーション処理開始操作時における腕時計１の表示画面の説明図である。
【００２４】
図３に示す例では、ナビゲーション処理開始操作時の初期状態において、腕時計１の表示部１１には、時刻表示画面ＩＭ１１（図４参照）が表示されている（ステップＳ１０５）。
【００２５】
時刻表示画面ＩＭ１１は、現在時刻を表示するための画面である。図４に示す例では、時刻表示画面ＩＭ１１には、日付情報や、現在時刻情報、バッテリ残量情報等の情報が表示されている。その中でも特に現在時刻情報が重要視される情報であるため、現在時刻情報が他の情報よりも大きなサイズで表示されている。
【００２６】
時刻表示画面ＩＭ１１が表示された状態において、ユーザは、例えばプッシュスイッチ１ＳＷを押下する。すると、腕時計１の制御部２は、それを検知して、ＧＰＳメニュー画面ＩＭ１２（図４参照）を表示部１１に表示する（ステップＳ１１０，Ｓ１１５）。
【００２７】
ＧＰＳメニュー画面ＩＭ１２は、ＧＰＳ機能に関連する各種処理を選択するための画面である。図４に示す例では、ＧＰＳメニュー画面ＩＭ１２には、ナビゲーション処理を選択するためのナビゲーション（NAVIGATION）欄、各地点のメモ情報を読み出し処理を選択するためのポイントメモ（POINT MEMO）欄、各種情報のリコール処理を選択するためのリコール（RECALL）欄、各種設定処理を選択するためのセッティング（SETTING）欄等が選択可能な状態で表示されている。
【００２８】
ＧＰＳメニュー画面ＩＭ１２が表示された状態において、ユーザは、選択マーク（図４に示す例では、白抜きされた三角形のマーク）でナビゲーション（NAVIGATION）欄を選択した状態で、ロータリースイッチＲＳＷを押下する。すると、腕時計１の制御部２は、それを検知して、軌跡表示画面ＩＭ１３（図４参照）を表示部１１に表示する（ステップＳ１２０，Ｓ１２５）。
【００２９】
軌跡表示画面ＩＭ１３は、ナビゲーション情報として、所望の目的地までのルートを表すルート情報等を表示するための画面（ナビゲーション画面）である。
【００３０】
軌跡表示画面ＩＭ１３は、予め設定された最大縮尺で、広い領域の地形図を概略的に表示する広域概略画面になっている。ただし、図４に示す例では、画面の構成を分かり易く示すために、地形図そのものは省略され、その代わりに、地形図に対応付けて設定されたユーザの移動ルートが示されている。縮尺サイズが大きくなるほど、地形図の画面サイズは縮小される（小さくなる）。一方、縮尺サイズが小さくなるほど、地形図の画面サイズは拡大される（大きくなる）。
【００３１】
なお、図４に示す例では、軌跡表示画面ＩＭ１３の縮尺（最大縮尺）として、４０ｋｍの値が設定されている。そして、縦横の寸法がその縮尺（最大縮尺）の数倍となる地形図が表示画面内に表示されている。ここで、４０ｋｍという最大縮尺の値は、ユーザが脚で１日に進むことが可能な最長移動距離（最長移動量）が１００ｋｍ程度であることを考慮し、その移動距離分のエリアが含まれる地形図を表示することができるようにするために設定されている。ただし、最大縮尺の値は、４０ｋｍに限らず、利用形態に応じて適宜変更することができる。例えば、最大縮尺の値は、４０ｋｍの代わりに、値を大きくして、５０ｋｍや６０ｋｍ等に設定することができるし、逆に、値を小さくして、３０ｋｍや２０ｋｍ等に設定することもできる。
【００３２】
ナビゲーション情報は、事前に、端末装置１０１（図２参照）で作成され、端末装置１０１から腕時計１に転送されている。図４に示す例では、軌跡表示画面ＩＭ１３には、ナビゲーション情報として、地形図に対応付けて設定されたユーザの移動ルートや、マーク「Ｓ」、マーク「Ｇ」、マーク「１」、マーク「２」、二重円状のマークＭｋＰｒ等の情報が表示されている。
【００３３】
マーク「Ｓ」は、スタート地点を表している。マーク「Ｇ」は、ゴール地点を表している。マーク「１」やマーク「２」は、第１経由地と第２経由地を表している。二重円状のマークＭｋＰｒは、ユーザの現在位置を表している。以下、二重円状のマークＭｋＰｒを「現在位置マークＭｋＰｒ」と称する。
【００３４】
ユーザは、前記した端末装置１０１（図２参照）でのナビゲーション情報の作成時に、端末装置１０１を操作することで、任意の場所を、スタート地点やゴール地点、経由地として設定することができる。
【００３５】
なお、図４に示す例では、マーク「１」とマーク「２」の２箇所が経由地として設定されている。しかしながら、経由地の数や位置は、ナビゲーション情報の作成時に、利用形態に応じてユーザが適宜設定することができる。
【００３６】
現在位置マークＭｋＰｒ（二重円状のマーク）は、ナビゲーション画面の中央付近に配置されている。ナビゲーション画面では、ユーザが移動した場合に、現在位置マークＭｋＰｒの表示位置が変わらずに、現在位置マークＭｋＰｒ以外の地形図や移動ルート等の表示位置が、ユーザの移動距離（移動量）に応じた分だけ、ユーザの移動方向とは逆向きに移動する。
【００３７】
軌跡表示画面ＩＭ１３が表示された状態において、ユーザは、ロータリースイッチＲＳＷを押下する。すると、腕時計１の制御部２は、それを検知して、軌跡表示画面ＩＭ１４（図４参照）を表示部１１に表示する。
【００３８】
軌跡表示画面ＩＭ１４は、地形図の縮尺を変更する操作を行うことができるナビゲーション画面である。軌跡表示画面ＩＭ１４は、軌跡表示画面ＩＭ１３（図４参照）と同様に、予め設定された最大縮尺で、広い領域の地形図を概略的に表示する広域概略画面になっている。軌跡表示画面ＩＭ１４は、軌跡表示画面ＩＭ１３と比較すると、マークＭｋＵとマークＭｋＤとが表示されている点で相違する。マークＭｋＵは、上側が頂点で、かつ、下側が底辺になっている二等辺三角形状のマークである。マークＭｋＤは、下側が頂点で、かつ、上側が底辺になっている二等辺三角形状のマークである。
【００３９】
マークＭｋＵ及びマークＭｋＤは、ロータリースイッチＲＳＷの回転可能な方向を表している。マークＭｋＵは、例えばマークの色が黒色である状態において、ロータリースイッチＲＳＷが奥回し方向に回転可能であることを表している。一方、マークＭｋＤは、例えばマークの色が黒色である状態において、変色時にロータリースイッチＲＳＷが手前回し方向に回転可能であることを表している。以下、マークＭｋＵを「奥回し方向マークＭｋＵ」と称し、マークＭｋＤを「手前回し方向マークＭｋＤ」と称する。
【００４０】
（ナビゲーション処理実行操作時の動作）
次に、図５乃至図８を参照して、ナビゲーション処理実行操作時における腕時計１の動作につき説明する。図５は、ナビゲーション処理実行操作時における腕時計１の動作を示すフローチャートである。図６は、変形例に係るナビゲーション処理実行操作時における腕時計１の動作を示すフローチャートである。図７は、ナビゲーション処理実行操作時における腕時計１の表示画面の説明図である。図８は、対象切替操作時における腕時計１の表示画面の説明図である。
【００４１】
本実施形態では、腕時計１の表示部１１に前記した軌跡表示画面ＩＭ１４（図４及び図７参照）が表示された状態において、ユーザがロータリースイッチＲＳＷを操作することにより、ナビゲーション処理実行操作が行われる場合を想定して説明する。
【００４２】
図５に示すように、表示部１１に前記した軌跡表示画面ＩＭ１４（図７参照）が表示された状態において、腕時計１の制御部２は、ロータリースイッチＲＳＷの回転操作があるか否かを判定する（ステップＳ２０５）。ステップＳ２０５の判定で、ロータリースイッチＲＳＷの回転操作があると判定された場合（“Ｙｅｓ”の場合）に、腕時計１の制御部２は、ロータリースイッチＲＳＷの回転方向が奥回し方向であるか否かを判定する（ステップＳ２１０）。
【００４３】
ステップＳ２１０の判定で、ロータリースイッチＲＳＷの回転方向が奥回し方向であると判定された場合（“Ｙｅｓ”の場合）に、腕時計１の制御部２は、表示画面が狭い領域を拡大して表示する狭域拡大画面（本実施形態では、後記する軌跡表示画面ＩＭ２２（図７参照））であるか否かを判定する（ステップＳ２１５）。
【００４４】
ステップＳ２１５の判定で、表示画面が狭域拡大画面（本実施形態では、軌跡表示画面ＩＭ２２（図７参照））であると判定された場合（“Ｙｅｓ”の場合）に、腕時計１の制御部２は、後記する目的地方向画面ＩＭ９９（図７参照）を表示部１１に表示して（ステップＳ２２０）、一連のルーチンの処理を終了する。
【００４５】
一方、ステップＳ２１５の判定で、表示画面が狭域拡大画面（本実施形態では、軌跡表示画面ＩＭ２２（図７参照））でないと判定された場合（“Ｎｏ”の場合）に、腕時計１の制御部２は、地形図が現在表示中の画面よりも拡大されたナビゲート画面を表示部１１に表示して（ステップＳ２２５）、一連のルーチンの処理を終了する。
【００４６】
また、前記したステップＳ２１０の判定で、ロータリースイッチＲＳＷの回転方向が手前回し方向であると判定された場合（“Ｎｏ”の場合）に、腕時計１の制御部２は、地形図が現在表示中の画面よりも縮小されたナビゲート画面を表示部１１に表示して（ステップＳ２３０）、一連のルーチンの処理を終了する。
【００４７】
また、前記したステップＳ２０５の判定で、ロータリースイッチＲＳＷの回転操作がないと判定された場合（“Ｎｏ”の場合）に、腕時計１の制御部２は、直線距離表示切替操作があるか否かを判定する（ステップＳ２５５）。
【００４８】
直線距離表示切替操作は、表示画面（ナビゲーション画面）を、例えば図８のように切り替える操作である。ここでは、ユーザが例えばプッシュスイッチ２ＳＷを押下することによって、直線距離表示切替操作が行われるものとして説明する。
【００４９】
ステップＳ２５５の判定で、直線距離表示切替操作があると判定された場合（“Ｙｅｓ”の場合）に、腕時計１の制御部２は、例えば図８のように表示対象を切り替える、対象切替処理を行う（ステップＳ２６０）。
【００５０】
一方、ステップＳ２５５の判定で、直線距離表示切替操作がないと判定された場合（“Ｎｏ”の場合）に、一連のルーチンの処理を終了する。
【００５１】
なお、図５に示すフローは、例えば、図６に示すフローのように変更することができる。図６に示すフローは、任意の条件に応じてナビゲーション画面を自動的に切り替える画面自動切替機能を利用する場合のフローである。
【００５２】
図６に示すフローは、図５に示すフローと比較すると、ステップＳ２１５の処理の代わりに、ステップＳ２１２，Ｓ２１４，Ｓ２１６の処理を実行する点で相違している。
【００５３】
例えば、図６に示すように、ステップＳ２１０の判定で、ロータリースイッチＲＳＷの回転方向が奥回し方向であると判定された場合（“Ｙｅｓ”の場合）に、腕時計１の制御部２は、画面自動切替機能が有効に設定されているか否かを判定する（ステップＳ２１２）。
【００５４】
ステップＳ２１２の判定で、画面自動切替機能が有効に設定されていないと判定された場合（“Ｎｏ”の場合）に、処理はステップＳ２２５に進む。一方、ステップＳ２１２の判定で、画面自動切替機能が有効に設定されていると判定された場合（“Ｙｅｓ”の場合）に、腕時計１の制御部２は、表示画面が広い領域を概略的に表示する広域概略画面（本実施形態では、軌跡表示画面ＩＭ１４（図７参照））であるか否かを判定する（ステップＳ２１４）。
【００５５】
ステップＳ２１４の判定で、表示画面が広域概略画面でないと判定された場合（“Ｎｏ”の場合）に、処理はステップＳ２２５に進む。一方、ステップＳ２１４の判定で、表示画面が広域概略画面であると判定された場合（“Ｙｅｓ”の場合）に、腕時計１の制御部２は、直線距離表示エリア内（表示画面内）にユーザによって指定された任意の対象地点があるか否かを判定する（ステップＳ２１６）。
【００５６】
ここで、「対象地点」とは、例えば、ゴール地点や経由地等の、ナビゲーションの目印になり易い地点を意味している。「対象地点」は、ユーザの操作や制御プログラムの自動的な処理によって、１乃至複数の地点を任意に設定することができる。例えば、「対象地点」は、ユーザが未通過の地点としてもよいし、ユーザが次に通過する予定の地点でもよい。
【００５７】
ステップＳ２１６の判定で、直線距離表示エリア内に任意の対象地点（例えば、ゴール地点や経由地等）があると判定された場合（“Ｙｅｓ”の場合）に、処理はステップＳ２２５に進む。一方、ステップＳ２１６の判定で、直線距離表示エリア内に任意の対象地点（例えば、ゴール地点や経由地等）がないと判定された場合（“Ｎｏ”の場合）に、処理はステップＳ２２０に進む。なお、「直線距離表示エリア内に任意の対象地点（例えば、ゴール地点や経由地等）がない」場合（“Ｎｏ”の場合）とは、ルート情報に対応付けて設定された任意の対象地点が表示画面から外れた場合であることを意味している。
【００５８】
以下、図７を参照して、図５（又は図６）のステップＳ２０５乃至ステップＳ２３０の処理で表示部１１に表示される表示画面（ナビゲーション画面）の一例について説明する。
【００５９】
図７に示すように、表示部１１に軌跡表示画面ＩＭ１４が表示された状態において、図５（又は図６）のステップＳ２０５の処理で、ユーザが軌跡表示画面ＩＭ１４の奥回し方向マークＭｋＵを参照してロータリースイッチＲＳＷを奥行き方向に回転させることにより、図５（又は図６）のステップＳ２２５の処理が実行される。これに応答して、図７に示すように、表示画面（ナビゲーション画面）は、軌跡表示画面ＩＭ１４から軌跡表示画面ＩＭ２１に、軌跡表示画面ＩＭ２１から軌跡表示画面ＩＭ２２に順次切り替わる。
【００６０】
また、図７に示すように、表示部１１に軌跡表示画面ＩＭ２２が表示された状態において、図５（又は図６）のステップＳ２２５の処理が実行された後に、ユーザが軌跡表示画面ＩＭ２２の手前回し方向マークＭｋＤを参照してロータリースイッチＲＳＷを手前方向に回転させることにより、図５（又は図６）のステップＳ２３０の処理が実行される。これに応答して、図７に示すように、表示画面（ナビゲーション画面）は、軌跡表示画面ＩＭ２２から軌跡表示画面ＩＭ２１に、軌跡表示画面ＩＭ２１から軌跡表示画面ＩＭ１４に順次切り替わる。
【００６１】
また、図７に示すように、表示部１１に軌跡表示画面ＩＭ２２が表示された状態において、図５のステップＳ２１５の判定において、表示画面が狭域拡大画面（軌跡表示画面ＩＭ２２）であると判定された場合（“Ｙｅｓ”の場合）に、図５のステップＳ２２０の処理が実行される。これに応答して、図７に示すように、表示画面（ナビゲーション画面）は、軌跡表示画面ＩＭ２２から目的地方向画面ＩＭ９９に切り替わる。
【００６２】
又は、図７に示すように、表示部１１に軌跡表示画面ＩＭ２２が表示された状態において、図６のステップＳ２１６の判定において、直線距離表示エリア内（表示画面内）に任意の対象地点（例えば、ゴール地点や経由地等）がないと判定された場合（“Ｎｏ”の場合）に、図６のステップＳ２２０の処理が実行される。これに応答して、図７に示すように、表示画面（ナビゲーション画面）は、軌跡表示画面ＩＭ２２から目的地方向画面ＩＭ９９に切り替わる。
【００６３】
前記した軌跡表示画面ＩＭ１４（図７参照）は、軌跡表示画面ＩＭ１３（図４参照）と同様に、予め設定された最大縮尺で、広い領域の地形図を概略的に表示する広域概略画面である。
前記した軌跡表示画面ＩＭ２１（図７参照）は、予め設定された中程度の縮尺（図示例では、４ｋｍの値の縮尺）で、中程度の領域の地形図を表示する中域画面である。
前記した軌跡表示画面ＩＭ２２（図７参照）は、予め設定された最小縮尺（図示例では、２ｋｍの値の縮尺）で、狭い領域の地形図を拡大して詳細に表示する狭域拡大画面である。
【００６４】
ここでは、ルート情報に対応付けて設定された任意の対象地点（例えば、ゴール地点や経由地等）が表示画面から外れる縮尺を最小縮尺とし、軌跡表示画面ＩＭ２２がその最小縮尺のナビゲーション画面であるものとして説明する。したがって、本実施形態では、図５のステップＳ２１５の判定において、表示画面が狭域拡大画面（軌跡表示画面ＩＭ２２）であると判定された場合（“Ｙｅｓ”の場合）とは、所望の縮尺のルート情報に対応付けて設定された任意の対象地点が表示画面から外れた場合であることを意味している。
【００６５】
前記した目的地方向画面ＩＭ９９（図７参照）は、ユーザの現在地点から所望の目的地（例えば、ゴール地点）までの方向情報や距離情報等の、ユーザにとって利便性の高い情報を優先的に特別に表示する特殊画面である。
【００６６】
なお、ここでは、所望の目的地がゴール地点であり、目的地方向画面ＩＭ９９（図７参照）は、ナビゲーション情報として、ユーザの現在地点からゴール地点までの方向情報や距離情報等を表示する内容になっているものとして説明する。しかしながら、腕時計１は、ゴール地点以外に、使用状況に応じてその他の任意の地点（例えば、スタート地点や第１経由地、第２経由地、ユーザが次に通過する予定の地点等）を所望の目的地として設定することができる。
【００６７】
本実施形態では、目的地方向画面ＩＭ９９は、方向情報ＩＦ１１、距離情報ＩＦ１２、バッテリ残量情報ＩＦ１３、現在時刻情報ＩＦ１４、経過時間情報ＩＦ１５等の情報を含む構成になっている。
【００６８】
方向情報ＩＦ１１は、所望の目的地（例えば、ゴール地点）までの方向を表している。
距離情報ＩＦ１２は、所望の目的地（例えば、ゴール地点）までの距離を表している。
バッテリ残量情報ＩＦ１３は、バッテリの残量を表している。
現在時刻情報ＩＦ１４は、現在時刻を表している。
経過時間情報ＩＦ１５は、移動を開始してからの経過時間を表している。
【００６９】
前記した方向情報ＩＦ１１は、矢印の向きで所望の目的地（例えば、ゴール地点）までの方向を示している。なお、本実施形態では、方向情報ＩＦ１１の矢印の向きは、腕時計１の頂点方向（つまり、アナログ文字盤における０時方向）を北方向とし、その北方向を基準方向にして所望の目的地までの方向を指し示している。
【００７０】
目的地方向画面ＩＭ９９において、特に、方向情報ＩＦ１１や距離情報ＩＦ１２等のユーザにとって利便性の高い情報は、その他の利便性の低い情報よりも大きく拡大して表示されている。そのため、目的地方向画面ＩＭ９９は、方向情報ＩＦ１１や距離情報ＩＦ１２等の利便性の高い情報を、ユーザに効率よく視認させることができる。
【００７１】
なお、腕時計１は、利用形態に応じて、軌跡表示画面ＩＭ１４と軌跡表示画面ＩＭ２１との間で、それらの画面に用いられている２つの縮尺サイズの間となる縮尺のナビゲーション画面を表示させるように設定することができる。同様に、腕時計１は、利用形態に応じて、軌跡表示画面ＩＭ２１と軌跡表示画面ＩＭ２２との間で、それらの画面に用いられている２つの縮尺サイズの間となる縮尺のナビゲーション画面を表示させるように設定することもできる。
【００７２】
腕時計１の制御部２（具体的には、表示態様変更手段２ｃ（図２参照））は、ルート情報に対応付けて設定された任意の対象地点（ゴール地点や経由地等）が表示部１１（表示画面）内に入っている間は、軌跡表示画面ＩＭ１４（軌跡表示画面ＩＭ１３）、軌跡表示画面ＩＭ２１、軌跡表示画面ＩＭ２２を表示部１１に表示する。
【００７３】
しかしながら、腕時計１の制御部２（具体的には、表示態様変更手段２ｃ（図２参照））は、ルート情報に対応付けて設定された任意の対象地点（ゴール地点や経由地等）が表示部１１（表示画面）から外れた場合に、目的地方向画面ＩＭ９９を表示部１１に表示する。
【００７４】
以下、図８を参照して、図５（又は図６）のステップＳ２６０の処理で表示部１１に表示される表示画面（ナビゲーション画面）の一例について説明する。
【００７５】
図８に示すように、表示部１１に軌跡表示画面ＩＭ１４が表示された状態において、ユーザが例えばプッシュスイッチ２ＳＷを押下することにより、表示画面（ナビゲーション画面）は、軌跡表示画面ＩＭ１４から対象画面ＩＭ３１に、対象画面ＩＭ３１から対象画面ＩＭ３２に、対象画面ＩＭ３２から対象画面ＩＭ３３に順次切り替わる。
【００７６】
対象画面ＩＭ３１、対象画面ＩＭ３２、対象画面ＩＭ３３は、それぞれ、任意の対象地点（例えば、ゴール地点や経由地等）を含むナビゲーション画面である。
【００７７】
腕時計１の制御部２（具体的には、表示態様変更手段２ｃ（図２参照））は、ルート情報に対応付けて設定された任意の対象地点（ゴール地点や経由地等）が表示画面内に入っている間は、軌跡表示画面ＩＭ１４（軌跡表示画面ＩＭ１３）、対象画面ＩＭ３１、対象画面ＩＭ３２、対象画面ＩＭ３３を表示部１１に表示する。この場合に、表示部１１に対象画面ＩＭ３３が表示された状態において、ユーザが例えばプッシュスイッチ２ＳＷを押下することにより、表示画面（ナビゲーション画面）は、対象画面ＩＭ３３から軌跡表示画面ＩＭ１４に切り替わる。
【００７８】
しかしながら、腕時計１の制御部２（具体的には、表示態様変更手段２ｃ（図２参照））は、ルート情報に対応付けて設定された任意の対象地点（ゴール地点や経由地等）が表示画面から外れた場合に、目的地方向画面ＩＭ９９を表示部１１に表示する。この場合に、表示部１１に対象画面ＩＭ３３が表示された状態において、ユーザが例えばプッシュスイッチ２ＳＷを押下することにより、表示画面（ナビゲーション画面）は、対象画面ＩＭ３３から目的地方向画面ＩＭ９９に、目的地方向画面ＩＭ９９から軌跡表示画面ＩＭ１４に順次切り替わる。
【００７９】
前記した対象画面ＩＭ３１は、現在地点からスタート地点（マーク「Ｓ」が設定された地点）までの距離情報を表示するナビゲーション画面である。また、前記した対象画面ＩＭ３２は、現在地点から第１経由地（マーク「１」が設定された地点）までの距離情報を表示するナビゲーション画面である。また、前記した対象画面ＩＭ３３は、現在地点から第２経由地（マーク「２」が設定された地点）までの距離情報を表示するナビゲーション画面である。
【００８０】
なお、図７に示す軌跡表示画面ＩＭ２１や軌跡表示画面ＩＭ２２は、例えば、図９（ａ）に示す軌跡表示画面ＩＭ２１ａや図９（ｂ）に示す軌跡表示画面ＩＭ２２ａのように変更してもよい。軌跡表示画面ＩＭ２１ａや軌跡表示画面ＩＭ２２ａは、図７に示す軌跡表示画面ＩＭ２１や軌跡表示画面ＩＭ２２と比較すると、ナビゲーション画面の中央付近に、二重円状の現在位置マークＭｋＰｒ（図７参照）の代わりに、現在位置マークＭｋＰｒ２が配置されている点で相違している。本実施形態では、現在位置マークＭｋＰｒ２は、円環の内部に矢印が組み込まれた構造になっている。矢印は、所望の目的地（例えば、ゴール地点）までの方向を表す方向情報として機能する。
【００８１】
（バックトラック画面表示操作）
腕時計１は、バックトラック画面表示機能を有している。「バックトラック画面表示機能」とは、現在地点からスタート地点に戻る場合のルートを表示する機能である。「バックトラック画面表示機能」では、腕時計１は、例えば、現在地点を新しいスタート地点とし、元のスタート地点を新しいゴール地点として表示する（図１１のバックトラック表示画面ＩＭ４１参照）。
【００８２】
以下、図１０を参照して、バックトラック画面表示操作時における腕時計１の動作につき説明する。図１０は、バックトラック画面表示操作時における腕時計１の動作を示すフローチャートである。
【００８３】
図１０に示す例では、バックトラック画面表示操作時の初期状態において、腕時計１の表示部１１には、前記した軌跡表示画面ＩＭ１４（図１１参照）が表示されている（ステップＳ６０５）。
【００８４】
軌跡表示画面ＩＭ１４が表示された状態において、ユーザは、例えばプッシュスイッチ１ＳＷを押下する。すると、腕時計１の制御部２は、それを検知して、ナビゲーションメニュー画面ＩＭ１５（図１１参照）を表示部１１に表示する（ステップＳ６１０，Ｓ６１５）。
【００８５】
ナビゲーションメニュー画面ＩＭ１５は、ナビゲーション処理時において各種操作を選択可能に表示するための画面である。図１１に示す例では、ナビゲーションメニュー画面ＩＭ１５には、バックトラック画面表示操作を選択するためのバックトラック（BACKTRACK）欄、ナビゲーション処理終了操作を選択するための終了（QUIT）欄、ゴール地点情報消去操作を選択するためのゴール地点情報消去（DELETE GOAL）欄等が選択可能な状態で表示されている。
【００８６】
ナビゲーションメニュー画面ＩＭ１５が表示された状態において、ユーザは、選択マーク（図１１に示す例では、白抜きされた三角形のマーク）でバックトラック（BACKTRACK）欄を選択した状態で、ロータリースイッチＲＳＷを押下する。すると、腕時計１の制御部２は、それを検知して、バックトラック表示画面ＩＭ４１（図１１参照）を表示部１１に表示する（ステップＳ６２０，Ｓ６２５）。これにより、バックトラック画面表示操作が終了する。
【００８７】
バックトラック表示画面ＩＭ４１は、ナビゲーション情報として、現在地点からスタート地点に戻る場合に現在地点からスタート地点までのルートを表すルート情報等を表示するための画面（ナビゲーション画面）である。バックトラック表示画面ＩＭ４１では、現在地点が新しいスタート地点として表示され（マーク「Ｓ」参照）、元のスタート地点が新しいゴール地点として表示される（マーク「Ｇ」参照）。
【００８８】
（ナビゲーション処理終了操作）
腕時計１は、ナビゲーション処理を終了する場合に、以下のように動作する。以下、図１２を参照して、ナビゲーション処理終了操作時における腕時計１の動作につき説明する。図１２は、ナビゲーション処理終了操作時における腕時計１の動作を示すフローチャートである。
【００８９】
図１２に示す例では、ナビゲーション処理終了操作時の初期状態において、腕時計１の表示部１１には、前記した軌跡表示画面ＩＭ１４（図１３参照）が表示されている（ステップＳ７０５）。
【００９０】
軌跡表示画面ＩＭ１４が表示された状態において、ユーザは、例えばプッシュスイッチ１ＳＷを押下する。すると、腕時計１の制御部２は、それを検知して、前記したナビゲーションメニュー画面ＩＭ１５（図１３参照）を表示部１１に表示する（ステップＳ７１０，Ｓ７１５）。
【００９１】
ナビゲーションメニュー画面ＩＭ１５が表示された状態において、ユーザは、ロータリースイッチＲＳＷを手前回しして（すなわち、手前方向に回転させて）、ナビゲーションメニュー画面ＩＭ１５ａ（すなわち、選択マーク（図１３に示す例では、白抜きされた三角形のマーク）で終了（QUIT）欄が選択された画面）を表示部１１に表示させる。そして、ナビゲーションメニュー画面ＩＭ１５ａが表示された状態において、ユーザは、ロータリースイッチＲＳＷを押下する。すると、腕時計１の制御部２は、それを検知して、前記した時刻表示画面ＩＭ１１（図１３参照）を表示部１１に表示する（ステップＳ７２０，Ｓ７２５）。これにより、ナビゲーション処理終了操作が終了する。
【００９２】
（ゴール地点情報消去操作）
腕時計１は、ゴール地点情報を消去する場合に、以下のように動作する。以下、図１４を参照して、ゴール地点情報消去操作時における腕時計１の動作につき説明する。図１４は、ゴール地点情報消去操作時における腕時計１の動作を示すフローチャートである。
【００９３】
図１４に示す例では、ゴール地点情報消去操作時の初期状態において、腕時計１の表示部１１には、前記した軌跡表示画面ＩＭ１４（図１５参照）が表示されている（ステップＳ８０５）。
【００９４】
軌跡表示画面ＩＭ１４が表示された状態において、ユーザは、例えばプッシュスイッチ１ＳＷを押下する。すると、腕時計１の制御部２は、それを検知して、前記したナビゲーションメニュー画面ＩＭ１５（図１５参照）を表示部１１に表示する（ステップＳ８１０，Ｓ８１５）。
【００９５】
ナビゲーションメニュー画面ＩＭ１５が表示された状態において、ユーザは、ロータリースイッチＲＳＷを２回手前回しして（すなわち、２回手前方向に回転させて）、ナビゲーションメニュー画面ＩＭ１５ｂ（すなわち、選択マーク（図１３に示す例では、白抜きされた三角形のマーク）でゴール地点情報消去（DELETE GOAL）欄が選択された画面）を表示部１１に表示させる。そして、ナビゲーションメニュー画面ＩＭ１５ｂが表示された状態において、ユーザは、ロータリースイッチＲＳＷを押下する。すると、腕時計１の制御部２は、それを検知して、ゴール地点情報消去後画面ＩＭ５１（図１５参照）を表示部１１に表示する（ステップＳ８２０，Ｓ８２５）。これにより、ゴール地点情報消去操作が終了する。
【００９６】
ゴール地点情報消去後画面ＩＭ５１は、ナビゲーション情報として、現在地点からゴール地点までのルート情報を消去した画面（ナビゲーション画面）である。ゴール地点情報消去後画面ＩＭ５１では、スタート地点から現在地点までのルート情報のみが表示される。
【００９７】
（目的地方向画面・コンパス画面切替表示操作）
腕時計１は、目的地方向画面・コンパス画面切替表示機能を有している。「目的地方向画面・コンパス画面切替表示機能」とは、前記した目的地方向画面ＩＭ９９（図７及び図１６参照）と後記するコンパス画面ＩＭＣｏ（図１６参照）とを切替表示する機能である。
【００９８】
前記した目的地方向画面ＩＭ９９（図１６参照）とコンパス画面ＩＭＣｏ（図１６参照）とは、ユーザが予め定められた任意のスイッチ操作（例えば、プッシュスイッチ３ＳＷとプッシュスイッチ４ＳＷとを同時に押下する操作）を行うことによって、表示部１１に切替表示される。
【００９９】
ここで、コンパス画面ＩＭＣｏ（図１６参照）は、ユーザが現在向いている方角情報を含むナビゲーション画面である。図１６に示す例では、コンパス画面ＩＭＣｏは、ユーザの進行方向を表す進行方向情報ＩＦ２１と、東西南北（Ｅ、Ｗ、Ｓ、Ｎ）の四方向を表すコンパス情報ＩＦ２２と、を含む画面になっている。コンパス画面ＩＭＣｏは、腕時計１の頂点方向（つまり、アナログ文字盤における０時方向）をユーザが向いている方向とし、そのユーザが現在向いている方向と北（Ｎ）方向との間のずれ角度を指し示している。具体的には、図１６に示す進行方向情報ＩＦ２１が表す線分とコンパス情報ＩＦ２２が表すＮ方向の線分との間の角度ＡＮが、そのずれ角度を表している。
【０１００】
前記した目的地方向画面ＩＭ９９（図１６参照）の方向情報ＩＦ１１は、腕時計１の頂点方向（つまり、アナログ文字盤における０時方向）を北方向とし、その北方向を基準方向にして所望の目的地までの方向を指し示している。そのため、ユーザが北からずれた方向を向いている場合（ユーザが北からずれた方向に進んでいる場合）に、前記した目的地方向画面ＩＭ９９（図１６参照）の方向情報ＩＦ１１を見ただけでは、ユーザは、東西南北（Ｅ、Ｗ、Ｓ、Ｎ）の四方向において、所望の目的地がどちらの方向にあるのかが把握し難い。
【０１０１】
そこで、本実施形態では、まず、ユーザは、例えば、目的地方向画面ＩＭ９９（図１６参照）からコンパス画面ＩＭＣｏ（図１６参照）にナビゲーション画面を切替表示させる。これによって、ユーザは、ユーザが向いている方向と北（Ｎ）方向との間のずれ角度ＡＮを把握することができる。次に、ユーザは、ユーザが現在向いている方向（ユーザが現在進んでいる方向）から、ずれ角度ＡＮ分だけ、北方向に向きを変える。これによって、ユーザは、北方向に向くことができる。この後、ユーザは、その状態で、コンパス画面ＩＭＣｏ（図１６参照）から目的地方向画面ＩＭ９９（図１６参照）にナビゲーション画面を切替表示させる。これによって、ユーザは、自身が北方向を向いているため、目的地方向画面ＩＭ９９（図１６参照）の方向情報ＩＦ１１を見ただけで、東西南北（Ｅ、Ｗ、Ｓ、Ｎ）の四方向において、所望の目的地がどちらの方向にあるのかを把握することができる。
【０１０２】
＜携帯型電子時計としての腕時計の主な特徴＞
（１）図２に示すように、腕時計１は、画像を表示する表示部１１と、ユーザの移動ルートを表すルート情報を表示部１１に表示するルート情報表示手段２ａと、ルート情報の表示部１１に表示される縮尺を切り替える縮尺切替手段２ｂと、所望の縮尺のルート情報に対応付けて設定された任意の対象地点（例えば、ゴール地点や経由地等）が表示部１１（表示画面）から外れた場合に、表示部１１（表示画面）の表示態様を、ルート情報を表示する表示態様と異なる表示態様に変更する表示態様変更手段２ｃと、を有する。
【０１０３】
このような腕時計１は、所望の縮尺のルート情報に対応付けて設定された任意の対象地点が表示部１１（表示画面）から外れた場合に、表示部１１（表示画面）の表示態様を変更することができる。そのため、腕時計１は、ユーザにとって利便性の高い情報をナビゲーション情報として好適に表示することで、小型な装置であっても、高度な情報提供性能を実現することができる。
【０１０４】
（２）表示態様変更手段２ｃは、前記任意の対象地点（例えば、ゴール地点や経由地等）が表示部１１（表示画面）から外れた場合に、ユーザの現在地点から所望の目的地（例えば、ゴール地点）までの方向情報と距離情報とを含む特殊画面を表示部１１に表示することができる。具体的には、腕時計１は、例えば、図７の軌跡表示画面ＩＭ２２（狭域拡大画面）のように、任意の対象地点が表示部１１（表示画面）から外れた場合に、図７の目的地方向画面ＩＭ９９のように、ユーザの現在地点から所望の目的地までの方向情報ＩＦ１１と距離情報ＩＦ１２とを含む特殊画面を表示部１１に表示することができる。
【０１０５】
目的地方向画面ＩＭ９９（特殊画面）では、特に、方向情報ＩＦ１１や距離情報ＩＦ１２等のユーザにとって利便性の高い情報が、その他の利便性の低い情報よりも大きく拡大して表示されている。そのため、目的地方向画面ＩＭ９９（特殊画面）は、ユーザが少し見るだけで、方向情報ＩＦ１１や距離情報ＩＦ１２等のユーザにとって利便性の高い情報を、ユーザに効率よく視認させることができる。したがって、腕時計１は、目的地方向画面ＩＭ９９（特殊画面）を表示部１１に表示することにより、例えば、ユーザが疲労して、判断能力が低下している場合であっても、利便性の高い情報を直感的にユーザに認識させることができる。
【０１０６】
（３）図１６に示すように、表示態様変更手段２ｃは、ユーザの操作に応じて、ユーザの現在地点から所望の目的地までの方向情報を含む特殊画面（目的地方向画面ＩＭ９９）と、ユーザが現在向いている方角情報を含むコンパス画面ＩＭＣｏと、を表示部１１に切替表示することができる。
【０１０７】
このような腕時計１は、特殊画面（目的地方向画面ＩＭ９９）とコンパス画面ＩＭＣｏとを表示部１１に切替表示することにより、目的地方向画面ＩＭ９９（図１６参照）の方向情報ＩＦ１１を見ただけで、東西南北（Ｅ、Ｗ、Ｓ、Ｎ）の四方向において、所望の目的地がどちらの方向にあるのかをユーザに把握させることができる。
【０１０８】
（４）表示態様変更手段２ｃは、好ましくは、ユーザの現在地点から所望の目的地までの距離が所望の距離以上である場合に、縮尺の切替判断を行うようにするとよい。
【０１０９】
例えば、図７に示す軌跡表示画面ＩＭ１５（広域概略画面）、軌跡表示画面ＩＭ２１（中域画面）、軌跡表示画面ＩＭ２２（狭域拡大画面）の切替表示において、表示態様変更手段２ｃは、ユーザがロータリースイッチＲＳＷの回転操作を行わなくても、縮尺の切替判断を行って、表示画面を自動的に切り替えるようにしてもよい。
【０１１０】
このような腕時計１は、軌跡表示画面ＩＭ２１（図７参照）から軌跡表示画面ＩＭ２２（図７参照）等のように、自動的に縮尺を切り替えてナビゲーション画面を表示部１１に表示させることができるため、使い勝手を向上させることができる。
【０１１１】
以上の通り、本実施形態に係る携帯型電子時計としての腕時計１によれば、ユーザにとって利便性の高い情報をナビゲーション情報として好適に表示することで、小型な装置であっても、高度な情報提供性能を実現することができる。
【０１１２】
なお、本発明は、前記した実施形態に限定されるものではなく、本発明の要旨を逸脱しない範囲で種々の変更や変形を行うことができる。
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【０１１３】
また、例えば、前記した実施形態では、所望の目的地がゴール地点であり、目的地方向画面ＩＭ９９（図７参照）は、ナビゲーション情報として、ユーザの現在地点からゴール地点までの方向情報や距離情報等を表示する内容になっているものとして説明している。しかしながら、腕時計１は、ゴール地点以外に、使用状況に応じてその他の任意の地点（例えば、スタート地点や第１経由地、第２経由地等を所望の目的地として設定することができる。
【０１１４】
また、例えば、ロータリースイッチＲＳＷの操作手順は、ほぼ前記した実施形態の通りだが、プッシュスイッチ１ＳＷ，２ＳＷ，３ＳＷ，４ＳＷの操作手順は、利用形態に応じて、適宜変更することができる。
【０１１５】
以下に、この出願の願書に最初に添付した特許請求の範囲に記載した発明を付記する。付記に記載した請求項の項番は、この出願の願書に最初に添付した特許請求の範囲の通りである。
［付記］
《請求項１》
画像を表示する表示部と、
ユーザの移動ルートを表すルート情報を前記表示部に表示するルート情報表示手段と、
前記ルート情報の前記表示部に表示される縮尺を切り替える縮尺切替手段と、
所望の縮尺の前記ルート情報に対応付けて設定された任意の地点が前記表示部から外れた場合に、前記表示部の表示態様を、前記ルート情報を表示する表示態様と異なる表示態様に変更する表示態様変更手段と、を有することを特徴とする携帯型電子時計。
《請求項２》
請求項１に記載の携帯型電子時計において、
前記表示態様変更手段は、前記任意の地点が前記表示部から外れた場合に、ユーザの現在地点から所望の目的地までの方向情報と距離情報とを含む特殊画面を前記表示部に表示することを特徴とする携帯型電子時計。
《請求項３》
請求項２に記載の携帯型電子時計において、
前記表示態様変更手段は、ユーザの操作に応じて、ユーザの現在地点から所望の目的地までの方向情報を含む特殊画面と、ユーザが現在向いている方角情報を含むコンパス画面と、を表示部に切替表示することを特徴とする携帯型電子時計。
《請求項４》
請求項１乃至請求項３のいずれか一項に記載の携帯型電子時計において、
前記表示態様変更手段は、ユーザの現在地点から所望の目的地までの距離が所望の距離以上である場合に、縮尺の切替判断を行うことを特徴とする携帯型電子時計。
《請求項５》
請求項１乃至請求項４のいずれか一項に記載の携帯型電子時計において、
前記表示態様変更手段は、前記任意の地点のうち、ユーザが未通過である地点が前記表示部から外れた場合に、前記表示部の表示態様を前記ルート情報を表示する表示態様と異なる表示態様に変更することを特徴とする携帯型電子時計。
《請求項６》
画像を表示する表示部を備える携帯型電子時計が実行する表示方法であって、
ユーザの移動ルートを表すルート情報を前記表示部に表示するルート情報表示工程と、
前記ルート情報の前記表示部に表示される縮尺を切り替える縮尺切替工程と、
所望の縮尺の前記ルート情報に対応付けて設定された任意の地点が前記表示部から外れた場合に、前記表示部の表示態様を前記ルート情報を表示する表示態様と異なる表示態様に変更する表示態様変更工程と、を含む表示方法。
《請求項７》
画像を表示する表示部を備える携帯型電子時計のコンピュータを、
ユーザの移動ルートを表すルート情報を前記表示部に表示するルート情報表示手段、
前記ルート情報の前記表示部に表示される縮尺を切り替える縮尺切替手段、
所望の縮尺の前記ルート情報に対応付けて設定された任意の地点が前記表示部から外れた場合に、前記表示部の表示態様を前記ルート情報を表示する表示態様と異なる表示態様に変更する表示態様変更手段、として機能させるための表示プログラム。
【符号の説明】
【０１１６】
１    腕時計（携帯型電子時計）
２    制御部
２ａ    ルート情報表示手段
２ｂ    縮尺切替手段
２ｃ    表示態様変更手段
３    記憶部
４    通信部
５    ＧＰＳレシーバ
６    磁気センサ
７    計時回路
１１    表示部
１０１    端末装置
１０２    制御部
１０３    第１通信部
１０４    第２通信部
ＡＮ    ずれ角度
ＩＦ１１    方向情報
ＩＦ１２    距離情報
ＩＦ１３    バッテリ残量情報
ＩＦ１４    現在時刻情報
ＩＦ１５    経過時間情報
ＩＦ２１    進行方向情報
ＩＦ２２    コンパス情報
ＩＭ１１    時刻表示画面
ＩＭ１２    ＧＰＳメニュー画面
ＩＭ１３，ＩＭ１４    軌跡表示画面（広域概略画面）
ＩＭ１５，ＩＭ１５ａ，ＩＭ１５ｂ    ナビゲーションメニュー画面
ＩＭ２１，ＩＭ２１ａ    軌跡表示画面（中域画面）
ＩＭ２２，ＩＭ２２ａ    軌跡表示画面（狭域拡大画面）
ＩＭ３１，ＩＭ３２，ＩＭ３３    対象画面
ＩＭ４１    バックトラック表示画面
ＩＭ５１    ゴール地点情報消去後画面
ＩＭ９９    目的地方向画面（特殊画面）
ＩＭＣｏ    コンパス画面
ＭｋＰｒ，ＭｋＰｒ２    現在位置マーク
ＭｋＵ    奥回し方向マーク
ＭｋＤ    手前回し方向マーク
１ＳＷ，２ＳＷ，３ＳＷ，４ＳＷ    プッシュスイッチ
ＲＳＷ    ロータリースイッチ
【図１】
2019060748.tif 000003
【図２】
2019060748.tif 000004
【図３】
2019060748.tif 000005
【図４】
2019060748.tif 000006
【図５】
2019060748.tif 000007
【図６】
2019060748.tif 000008
【図７】
2019060748.tif 000009
【図８】
2019060748.tif 000010
【図９】
2019060748.tif 000011
【図１０】
2019060748.tif 000012
【図１１】
2019060748.tif 000013
【図１２】
2019060748.tif 000014
【図１３】
2019060748.tif 000015
【図１４】
2019060748.tif 000016
【図１５】
2019060748.tif 000017
【図１６】
2019060748.tif 000018